(57)【要約】【課題】新しい着物の着付け方法を提供する。【解決手段】着物１の着付け方法は、長手方向に弾性を有する帯状の第１の紐状体７を着用者１００の腰回りに取り付け、着用者１００の背筋と着物の背縫いが一致するようにして着物１を着せ、着物１の後身頃側の裾１１を着用者１００の股を通して前方に引き上げ、その端部を第１の紐状体７に固定した後、前方に引き上げた後身頃３を着用者の足に巻き付けるとともに、前身頃２を後身頃３に重ね合わせつつ着用者１００の足に巻き付け固定し、下前に上前を重ね合わせつつ着物の衿４を整えた後に、着用者１００の腰回りであって着物１の上部に長手方向に弾性を有する帯状の第２の紐状体７Ｂを取り付け、着用者１００の後方部に有する後身頃３を引き上げて第２の紐状体７Ｂに固定し、この第２の紐状体７Ｂの上から帯１０を締める。【選択図】図８
2020012206.tif 000002
【特許請求の範囲】
【請求項１】
長手方向に弾性を有する帯状の第１の紐状体を着用者の腰回りに取り付けるステップと、
着用者の背筋と着物の背縫いが一致するようにして着用者に着物を着せるステップと、
前記着物の後身頃側の裾を着用者の股を通して前方に引き上げ、その端部を第１の紐状体に固定するステップと、
前方に引き上げた後身頃を着用者の足に巻き付けるステップと、
前身頃を後身頃に重ね合わせつつ着用者の足に巻き付け固定するステップと、
下前に上前を重ね合わせつつ着物の衿を整えるステップと、
着用者の腰回りであって着物の上部に長手方向に弾性を有する帯状の第２の紐状体を取り付けるステップと、
着用者の後方部に有する後身頃を引き上げて第２の紐状体に固定するステップと、
第２の紐状体の上から帯を締めるステップと、
を備えることを特徴とする着物の着付け方法。
【請求項２】
袖振りを振りの開口から袖の中に折り込んで袖の内部において固定し、筒袖を形成するステップを更に備えていることを特徴とする請求項１に記載の着物の着付け方法。
【請求項３】
帯状の生地を用意し、
前記帯状の生地の中央部を着用者の頭部の頭頂部にかぶせ、顔の形状に沿って生地が着用されるように整えつつ、生地の両側を頭部の頭頂部から左右側面に沿って配置した後、頭部の首部の境目近傍において、一方の端部を前方側に折り畳んで首に巻き付けるようにして逆側に配置する一方で、他方の端部を前方側に折り畳んで口元に巻き付けるようにして逆側に配置し、互いの屈曲部を一方又は他方の側の生地によって押さえつつ、利用者の後頭部において両方の端部を締めつけて結び、結合するステップを更に備えていることを特徴とする請求項１又は２のいずれか一項に記載の着物の着付け方法。
【発明の詳細な説明】
【技術分野】
【０００１】
本発明は、着物の着付け方法に関する。
【背景技術】
【０００２】
生活様式の変革とともに、古くから伝えられてきた和服（以下、「着物」と称する。）は、日常的に着用されることが少なくなってしまい、初詣でや七五三、成人式等の伝統的な行事等の特別な日にしか着用されなくなってしまっている。
【０００３】
また、お年寄りも着る機会がなく、たくさんの着物が箪笥にしまわれている実情があり、何等かの形で活用できないか思案している方々も多い。
【０００４】
また、着物は洋服と比較して着付けが難しく時間がかかるとともに、窮屈で堅苦しく、着崩れした場合に直せない等の理由から敬遠されがちである。
【０００５】
なお、着物の着付けは上述するように、着付けが難しいため、近年では、一人で簡単に着物を着る方法が開示されている（特許文献１参照）。
【先行技術文献】
【特許文献】
【０００６】
【特許文献１】特開平１１−３３５９０６号公報
【発明の概要】
【発明が解決しようとする課題】
【０００７】
上述した特許文献１に示す着付け方法は、ひとりで簡単に着物を着ることができるため、着物を着る回数も増えて活用の幅が広がり良い傾向であるものの、更に、楽しく着物を着ることができれば着物の活用の幅が広がると考える。
【０００８】
本願の発明者は、箪笥等にしまわれている着物を何とか活用したいという想いもあり、新しい着付け方法を提案することで着物が活用されることを願うものである。
【０００９】
そこで、本発明は上記問題を課題の一例として為されたもので、新しい着物の着付け方法を提供することを目的としたものである。
【課題を解決するための手段】
【００１０】
上記課題を解決するため、本発明は次のような構成を採用する。なお、本発明の理解を容易にするため図面の参照符号を括弧書きで付するが、本発明はこれに限定されるものではない。
【００１１】
すなわち、請求項１に記載の着物の着付け方法は、長手方向に弾性を有する帯状の第１の紐状体（７）を着用者（１００）の腰回りに取り付けるステップと、着用者の背筋と着物の背縫いが一致するようにして着用者に着物（１）を着せるステップと、前記着物の後身頃側の裾（１１）を着用者の股を通して前方に引き上げ、その端部を第１の紐状体に固定するステップと、前方に引き上げた後身頃（３）を着用者の足に巻き付けるステップと、前身頃（２）を後身頃に重ね合わせつつ着用者の足に巻き付け固定するステップと、下前に上前を重ね合わせつつ着物の衿（４）を整えるステップと、着用者の腰回りであって着物の上部に長手方向に弾性を有する帯状の第２の紐状体（７Ｂ）を取り付けるステップと、着用者の後方部に有する後身頃を引き上げて第２の紐状体に固定するステップと、第２の紐状体の上から帯（１０）を締めるステップと、を備えることを特徴とする。
【００１２】
また、請求項２に記載の着物の着付け方法は、請求項１に記載の着物の着付け方法において、袖振りを振りの開口（５ｂ）から袖（５）の中に折り込んで袖の内部において固定し、筒袖を形成するステップを更に備えていることを特徴とする。
【００１３】
また、請求項３に記載の着物の着付け方法は、請求項１又は２のいずれか一項に記載の着物の着付け方法において、帯状の生地（５０）を用意し、前記帯状の生地の中央部を着用者の頭部の頭頂部にかぶせ、顔の形状に沿って生地が着用されるように整えつつ、生地の両側を頭部の頭頂部から左右側面に沿って配置した後、頭部の首部の境目近傍において、一方の端部を前方側に折り畳んで首に巻き付けるようにして逆側に配置する一方で、他方の端部を前方側に折り畳んで口元に巻き付けるようにして逆側に配置し、互いの屈曲部を一方又は他方の側の生地によって押さえつつ、利用者の後頭部において両方の端部を締めつけて結び、結合するステップを更に備えていることを特徴とする。
【発明の効果】
【００１４】
本実施例の着物の着付け方法は、袴のように股が開くように着物１を着付けることができる。
【図面の簡単な説明】
【００１５】
【図１】第１実施例における着物の外観例を示し、図１（ａ）は正面図、図１（ｂ）は背面図図である。
【図２】固定用ベルトの取付例を示す模式図である。
【図３】着物を着せた時の背面を示す模式図である。
【図４】裾の処理例を示す模式図である。
【図５】裾を固定用ベルトに固定する一例を示す模式図である。
【図６】裾を固定用ベルトに固定した際の背面を示す模式図である。
【図７】着用者の後方における後身頃の余りの処理例を示す模式図である。
【図８】着用者に着物を着付けた際の外観例を示す模式図である。
【図９】着用者の頭部及び顔に生地を着付ける装着例を示す模式図である。
【発明を実施するための形態】
【００１６】
以下、図面を参照して本発明の実施形態を示す実施例について説明する。
【００１７】
本実施例の着付け方法に用いられる着物１は、図１に示すように、通常の和服であり、具体的には、前身頃２、後身頃３、及び衿４を有するとともに、左右に袖口５ａが形成された袖５を備え、より具体的には、振り袖、喪服、浴衣等の他、着物の様に着用可能な衣類等も含むものであり、生地や色等が特に限定されるものではない。
【００１８】
次に、着物の着付け方法について図２〜図８を用いて説明する。
【００１９】
まず、着物１、帯１０、固定用ベルト７、図示しない接着テープ等の固定具を予め準備する。
【００２０】
固定用ベルト７とは、弾性を有するベルトであって、具体的には、長手方向に伸縮自在な環状又は帯状のゴムやゴム紐等が好適に用いられる。なお、固定用ベルト７の両端部が開放されている場合には、両端部を縛り結合される。
【００２１】
また、固定具は、着物１の生地同士を接着可能な接着テープの他、例えば、先端部裏面にフックを有する第１の面ファスナが設けられ、内側表面にこのフックと結合可能なループを有する第２の面ファスナが設けられた、帯状に形成された繊維製の材料によって形成された柔軟性を有して屈曲自在なバンドであって、このバンドは生地に巻き付けた後、第２の面ファスナの表面に第１の面ファスナを結合して使用される。
【００２２】
次に、図２に示すように、着用者１００の腰部１１０に固定用ベルト７（本願の第１の紐状体）を取り付ける。
【００２３】
次に、図２及び図３に示すように、着用者１００の背面において、着物１の背縫い８と着用者１００の背筋が一致する（背縫い８が背中の真ん中となる）ようにして、袖口５ａに腕を通して、着物１を着せる。
【００２４】
次に、図３及び図４に示すように、着物１の後身頃３の裾１１の中央部（背縫い部分の下端部１１ａ）を股下１１１に潜らせ着用者１００の後方から前方の腰部まで引き上げて、図５に示すように、この裾１１を固定用ベルト７に固定する。裾１１は、例えば、固定用ベルト７に挟み込んで二重に絡め、接着テープ等で固定用ベルト７にしっかりと固定する。
【００２５】
次に、図５に示すように、着用者の股が開くようにして、裾１１の中央部の左右の部分であって、後身頃３の余り（前方に引き上げた後身頃３の余り）を図中矢印Ｘに示すように、着用者１００の両方の足に巻き付けるとともに、前身頃２を着用者１００の足に巻き付けられた後身頃３上に重ね合わせるようにして図中矢印Ｙに示すように、両方の足に巻き付けて接着テープ等の固定具を用いて固定する。なお、接着テープに限られるものではなく、一般に公知な接着部材を用いても構わない。
【００２６】
また、前足に巻き付けられた前身頃２と後身頃３の裾２ａ、３ａの部分は、上述するバンド等の固定具によって固定することで、激しい動作を行った際に生じる着物１の着崩れを容易に防止できる。
【００２７】
このように、着用者１００の左右両足に後身頃３の一部と前身頃２の一部を重ね合せて着用することで、袴のように股が開くように着物１を着付けることが可能である。したがって、本実施例の着付け方法で着付けられた着物１の姿は、一般的な着付けによって着物１を着た姿とは一風変わっている。
【００２８】
次に、図示しないが、脇で下前（右前身頃）をはさみ込みながら上前（左前身頃）をかぶせ、衿４を整えた後、図６に示すように、着物１の腰回り上に他の固定用ベルト７Ｂ（本願の第２の紐状体）を取り付ける。
【００２９】
次に、図７に示すように、着用者１００の後方部において、余っている後身頃３の中央部近傍を持ち上げて腰回りに取り付けられた固定用ベルト７Ｂに固定する。後身頃３の余りは、例えば、固定用ベルト７Ｂに挟み込んで二重に絡め、接着テープ等で固定用ベルト７Ｂにしっかりと固定する。
【００３０】
このように、着用者１００の後方において余る後身頃３を引き上げて固定用ベルト７Ｂに固定することで、着用者１００の後足後方にダボついている後身頃３をすっきりとさせることが可能である。
【００３１】
最後に、この固定用ベルト７Ｂの上から帯１０を腰回りで締める。
【００３２】
（袖振りの処理）
ここで、袖振りの部分が邪魔になる場合には、袖振りを振りの開口５ｂ（図１）から袖５の中に折り込んで袖５の内部に接着テープ等の固定部材を用いて固定し、筒袖を形成する。これにより、ダボ付きを防止できるとともに、袖振りが邪魔にならずに所定の動作を行うことができ、着心地が良い。
【００３３】
このように、本実施例の着付け方法で着付けられた着物１は、縫製などの作業を要せずに、袴のように股が開くように着物１を着付けることが可能である。
【００３４】
また、着物を巻き付けるようにして、体型に合わせて調整しながら着付けることが可能であるため、着用者の大きさをあまり考慮しなくても良く、裁断等の余計な手間が必要ない。
【００３５】
また、本実施例の着付け方法で着付けられた着用者は、一般的な着物１の着付けよりもより動くことが容易となる。また、本実施例の着付け方法で着付けられた着物１は、例えば、子供は動き回るためすぐに着崩れしてしまうが、このように股が開くように着付けることで着崩れしにくくなるとともに、楽に着られるとともに風通しが良いため堅苦しくなく着心地が良い。
【００３６】
（忍者のような着付け方法の処理）
次に、着物を忍者のように着付ける方法について説明する。
【００３７】
まず、本実施例の着付け方法に用いられる着物１は、特に、喪服等の黒地の生地を用いることが好ましいが、特に限定されるものではない。
【００３８】
そして、上述した実施例と同様に着物を着付けた後、頭部に生地５０を巻き付ける。したがって、着物１を着付ける手順の説明は省略する。
【００３９】
次に、頭部に生地５０を巻き付ける処理について詳述する。
【００４０】
まず、頭部に取り付ける生地５０を用意する。生地５０は、略矩形であって帯状の生地を着物の生地から裁断したものを用いる。なお、生地の幅や長さは着用者の頭部の大きさ等によって適宜設定される。
【００４１】
そして、図９に示すように、帯状の生地５０の中央部を着用者１００の頭部の頭頂部にかぶせ、頭部の前方左右において顔面と頭部の境目付近は生地５０の前方端部を三角状１０５に折り込んで顔の形状に沿って生地５０が着用されるように整えつつ、生地５０の両側を頭部の頭頂部から左右側面に沿って配置した後、頭部の首部の境目近傍において、一方の端部を図中点線矢印Ｚ１に示すように、前方側に折り畳んで（屈曲させて）首に巻き付けるようにして逆側に配置する一方で、他方の端部を図中実線矢印Ｚ２に示すように、前方側に折り畳んで口元に巻き付けるようにして逆側に配置し、互いの屈曲部を一方又は他方の側の生地５０によって押さえつつ、利用者の後頭部において両方の端部を締めつけて結び、結合する。
【００４２】
このように、本実施例の着付け方法で着付けられた着用者１００の姿は、図８及び図９に示すように、一風変わった姿となり、特に、子供等であれば、楽しく着物を着ることができ、着物の活用の幅が広がる。
【００４３】
また、海外では忍者が大人気であり、観光目的の１つとして忍者の着付けを行うことで日本文化の紹介として役に立つと考えるとともに、これからの日本の観光立国として最高の発想であると考える。
【００４４】
以上に説明したように、本実施例の着物１の着付け方法は、袴のように股が開くように着物１を着付けることができるので、楽しく着物を着ることができる。また、特に子供等であれば活発な動作により着崩れをおこしやすいものの、股を作ることで着崩れしにくくなるとともに、動き易く便利である。
【００４５】
また、針や糸などを使わずに、体型に合わせて調整しながら着付けることが可能であるため、着用者の大きさに合わせて着物１を裁断する必要もなく、使用しなくなった着物１をそのまま利用することができる。
【００４６】
なお、本実施形態は一形態であって、上述した実施例に限定されるものではなく、例えば、固定具の使用位置は特に限定されるものではなく、適宜必要に応じて行えばよい。
【符号の説明】
【００４７】
１  着物
２  前身頃
３  後身頃
７、７Ｂ  固定用ベルト
１０  帯
１００  着用者
【図１】
2020012206.tif 000003
【図２】
2020012206.tif 000004
【図３】
2020012206.tif 000005
【図４】
2020012206.tif 000006
【図５】
2020012206.tif 000007
【図６】
2020012206.tif 000008
【図７】
2020012206.tif 000009
【図８】
2020012206.tif 000010
【図９】
2020012206.tif 000011